(57)【特許請求の範囲】
【請求項１】
情報を表示する情報表示部と、
音声を出力する透光性の透明スピーカと、
入力操作用の透光性の透明操作パネルと、
前記情報表示部の表示面側に装着する透明支持部材と、を有し、
前記透明支持部材に前記透明スピーカと前記透明操作パネルとを空間を有して取り付け、
前記透明操作パネルを操作側として、該透明操作パネル、前記透明スピーカ、前記情報表示部の順に配置し、該情報表示部の表示情報が該透明スピーカと該透明操作パネルを介して表示される情報表示装置。
【請求項２】
前記透明支持部材の前記情報表示部とは反対側の端面に、該情報表示部、前記透明スピーカ及び該透明支持部材で囲まれる空間に通じる複数の空気孔を有することを特徴とする請求項１に記載の情報表示装置。
【請求項３】
情報を表示する情報表示部と、
音声を入力する透光性の透明マイクと、
入力操作用の透光性の透明操作パネルと、
前記情報表示部の表示面側に装着する透明支持部材と、を有し、
前記透明支持部材に前記透明マイクと前記透明操作パネルとを空間を有して取り付け、
前記透明操作パネルを操作側として、該透明操作パネル、前記透明マイク、前記情報表示部の順に配置し、該情報表示部の表示情報が該透明マイクと該透明操作パネルを介して表示される情報表示装置。
【請求項４】
前記透明支持部材の前記情報表示部とは反対側の端面に、該情報表示部、前記透明マイク及び該透明支持部材で囲まれる空間に通じる空気孔を有することを特徴とする請求項３に記載の情報表示装置。
【請求項５】
前記空間に通じる前記空気孔を前記透明操作パネルに設けることを特徴とする請求項１又は３に記載の情報表示装置。
【請求項６】
前記透明操作パネルは、前記情報表示部の前記表示情報に対応する位置を押圧することにより入力操作を行うタッチ式の操作パネルであることを特徴とする請求項１又は３に記載の情報表示装置。
【請求項７】
情報を表示する情報表示部と、
前記情報表示部の表示面側に配置される、音声を出力する透光性の透明スピーカ及び又は音声を入力する透光性の透明マイクを備え、
前記情報表示部に、前記透明スピーカ、及び／又は、透明マイクの配置状態を示すキャラクタ、及び／又は、テキストを表示することを特徴とする情報表示装置。
【発明の詳細な説明】
【０００１】
【発明の属する技術分野】
本発明は、表示パネルと共に、スピーカ及び/又はマイクと、操作入力部を有する情報表示装置に関する。
【０００２】
【従来の技術】
従来、表示パネルと共に、スピーカ及び/又はマイクと、操作入力部を有する情報表示装置、例えば携帯型電話、オーディオ機器等においては、機器の携帯性、取扱性等の観点より機器本体の小型化、軽量化が進むのとは逆に、情報表示量増大の要望、視認性の良さから表示画面については大型化が望まれている。
【０００３】
図１８は、従来の携帯電話１０１の概略構成を示しており、キャビネット１０２の正面には上方より下方に従って受信された音声を出力するスピーカ１０６、文字、記号、及び画像情報を表示可能なディスプレイ部１０３、機器操作用のキーボタン１０４、及び通話用のマイク１０７が配置されており、キャビネット１０２の上方には情報通信用のアンテナ１０５を設けている。
【０００４】
図１８の従来の携帯電話１０１の構成によれば、キャビネット１０２の正面に対するキーボタン１０４、スピーカ１０６及びマイク１０７の配置スペースにより、ディスプレイ部１０３を設けるスペースが限られ、自ずとディスプレイ部１０３で表示できるデータ量が少なく、文字数の多いメールを受信し、そのメールを最後まで読むにはスクロールを何度も行わなければならず、操作が面倒であった。
【０００５】
一方、特開平4-70100号公報では、ダイナミックスピーカーに比べて軽量化、薄型化を実現するために、振動板を透明とする圧電透明スピーカが記載され、更に電気音響変換効率を高めるために広い振動板面積を確保する圧電スピーカを設けた携帯情報機器が特開2000-152385号公報に記載されている。
【０００６】
【発明が解決しようとする課題】
しかしながら、上記した特開2000-152385号公報記載の発明では、スピーカの実装面積の縮小により携帯型情報機器の小型軽量化を実現するため、情報通信設備の進歩に伴う表示画面の大型化の要望に対しては十分に応えることができないものである。
【０００７】
本発明は、前記の問題点を解消するためになされたものであって、更なる機器本体の小型化と表示画面の大型化の要望に対しては十分に応えることができる情報表示装置を提供することを目的とする。
【０００８】
【課題を解決するための手段】
本発明は、上記の目的を達成するため、次の構成を有する。
本発明の第１の要旨は、情報（文字、記号、画像等）を表示する情報表示部と、音声を出力する透光性の透明スピーカ及び／又は音声を入力する透光性の透明マイクよりなる透明音響部材と、入力操作用の透光性の透明操作パネルとを有し、透明操作パネルを操作側として、情報表示部と透明操作パネル間に透明スピーカ及び／又は透明マイクを配置し、情報表示部の表示情報が透明音響部材と透明操作パネルを介して表示される情報表示装置にある。
【０００９】
本発明の第１の要旨によれば、従来、別個に同一平面状等に配置されていた情報表示部、音響部材、及び操作パネルを情報表示部の領域内に集中的に配置（情報表示部の表示面に対して垂直方向に情報表示部と音響部材と操作パネルを積層状に配置）できるため、従来、音響部材と操作パネルが占めていた装置表面領域だけ装置の小型化ができ、及び／又は、情報表示部の表示領域の拡大を図ることができる。
よって、装置本体の小型化と表示画面の大型化の要望に対しては十分に応えることができる。
【００１０】
本発明の第２の要旨は、透明音響部材から透明操作パネルの操作側に連続する空気孔を有することを特徴とする要旨１に記載の情報表示装置にある。係る構成により、操作側と透明音響部材との通路を短くでき、透明音響部材の感度を高めることができる。
【００１１】
本発明の第３の要旨は、空気孔は、透明音響部材と透明操作パネルを支持する支持部材に形成することを特徴とする要旨２に記載の情報表示装置にある。係る構成により、支持部材を有効に活用するとともに、広い情報表示部を確保できる。
【００１２】
本発明の第４の要旨は、空気孔は、透明操作パネルに設けることを特徴とする要旨２に記載の情報表示装置にある。係る構成により、操作側と透明音響部材との通路を極力短くでき、透明音響部材の感度を高めることができる。
【００１３】
本発明の第５の要旨は、透明操作パネルは、情報表示部の表示情報に対応する位置を押圧することにより入力操作を行うタッチ式の操作パネルであることを特徴とする要旨１に記載の情報表示装置にある。係る構成により、透明操作パネルを簡単な構成で実現できる。
【００１４】
本発明の第６の要旨は、情報を表示する情報表示部と、音声を出力する透明スピーカ及びあるいは音声を入力する透明マイクを備え、前記情報表示部に、前記透明スピーカ、及び／又は、透明マイクの配置状態を示すキャラクタ、及び／又は、テキストを表示することを特徴とする情報表示装置にある。
【００１５】
本発明の第６の要旨によれば、ユーザには透明スピーカや透明マイクは見えないために、ユーザにはその存在や配置位置が判らないことによる不安感や取扱性の悪さを感じる場合があるかもしれないが、その配置状態（配置領域を含む）をキャラクタあるいはテキストを用いてユーザに視覚的に知らせることで、ユーザに安心感を提供でき、またマイクの位置がわかることで音声入力を効果的に行うことができ、スピーカの位置を理解することで望みの位置、方向に効率的に音声出力を可能とできる。
【００１６】
【発明の実施の形態】
以下、図面を参照して本発明の実施形態を詳細に説明する。
図１は透明スピーカ８、透明マイク９及びタッチパネル１０を備えた本発明の実施の形態に係る携帯電話の基本構成図、図２は本発明の実施の形態に係る携帯電話の透明スピーカ８、透明マイク９及びタッチパネル１０の構成及び配置を示す側面図、図３はタッチパネル１０の動作説明図、図４は透明スピーカ８を動作させるための回路図、図５は透明マイク９を動作させるための回路図、図６は本発明の実施の形態による携帯電話のディスプレイ部及びその表示を示す正面図をそれぞれ示している。
【００１７】
図１に示すように本発明の実施形態に係る携帯電話１は、装置のキャビネット２と、キャビネット２に設けられるディスプレイ部３と、電波を送受信するアンテナ５と、装置の電源をオンオフする電源スイッチ７と、受信した信号を音声として出力する透光性の透明スピーカ８と、音声を電気信号に変換する通話用の透光性の透明マイク９と、装置を操作するための透光性のタッチパネル１０を備えている。尚、本実施形態のディスプレイ部３は文字、記号、画像等の情報を表示できればよく、例えば液晶ディスプレイ、プラズマディスプレイ、ＣＲＴ（cathode ray tube）等その種類を限定するものではない。
【００１８】
ディスプレイ部３、透明スピーカ８及び透明マイク９、及びタッチパネル１０は、図２に示すように、タッチパネル１０を操作面側として、キャビネット２内に層状に配置されている。すなわち、タッチパネル１０は、ディスプレイ部３の表示領域を表示可能な大きさ、且つ位置にキャビネット２によって支持されており、タッチパネル１０とディスプレイ部３の間隙に透明スピーカ８及び透明マイク９が所定位置に位置決めされて設けられている。
【００１９】
図１中に示す符号Ｋは、電源スイッチ７をオンすることでディスプレイ部３に表示される操作用キーの表示であり、透光性部材である透明スピーカ８、透明マイク９及びタッチパネル１０を介して、或いはタッチパネル１０のみを介してオペレータに表示される。オペレータは、タッチパネル１０に透過表示された操作キー用Ｋ部分を押圧することで操作指示する構成としている。尚、ディスプレイ部３に示す操作用キーＫは、オペレータの操作内容に基づいて図示しない制御部により表示／非表示が制御される構成としている。
従って、携帯電話１の操作面に設けられる操作ボタンは、電源スイッチ７のみの構成としている。
【００２０】
上記構成により、本発明の実施形態に係る携帯電話１の操作面は、タッチパネル１０と電源スイッチ７で概略構成されるので、携帯電話１の操作面に占める表示画面領域（タッチパネル１０）を大きくでき、多くの情報提供が可能となる。また、装置の小型化も実現できる。以下、各構成を詳細に説明する。
【００２１】
透明スピーカ８、透明マイク９及びタッチパネル１０の基本構成の一実施形態について、図２乃至図５に基づき以下説明する。なお、実施の形態に係る透明スピーカは、基本的には静電型スピーカである。静電型スピーカには、プッシュプルタイプとシングルタイプがあるが、両タイプとも本発明を実現することができる。以下の説明では、シングルタイプにて説明する。
【００２２】
また、本実施の形態の透明マイクは、基本的には静電型マイクである。静電型マイクには、コンデンサ型とバイモルフ型があるが、両型とも本発明を実現することができる。また、以下の説明は、コンデンサ型にて説明する。
【００２３】
図２に示すように透明スピーカ８は、音波を発生する透明振動板８ａと、透明振動板８ａを構成し透明振動板８ａのベース材となる透明フィルム８ａ１と、透明フィルム８ａ1に形成され、透明スピーカ８の一方の電極となる透明電極８ａ２と、透明スピーカ８の固定電極となる透明固定電極板８ｂと、透明固定電極板８ｂを構成し透明固定電極板８ｂのベース材となるガラス基板８ｂ１と、ガラス基板８ｂ１に形成され透明スピーカ８の他方の電極となる透明電極８ｂ２と、透明振動板８ａ及び固定電極板８ｂを保持する透明枠２ａと、透明枠２ａに形成される孔２ａ１と、及び振動スペースと空気用スペースの空間２ｃと、を備えている。
【００２４】
また、透明マイク９は、音波にて振動する透明振動板９ａと、透明振動板９ａを構成し透明振動板９ａのベース材となる透明フィルム９ａ１と、透明フィルム９ａ１に形成され、透明マイク９の一方の電極となる透明電極９ａ２と、透明マイク９の固定電極となる透明固定電極板９ｂと、透明固定電極板９ｂを構成し透明固定電極板９ｂのベース材となるガラス基板９ｂ１と、ガラス基板９ｂ１に形成され透明マイク９の他方の電極となる透明電極９ｂ２と、透明振動板９ａ及び固定電極板９ｂを保持する透明枠２ａと、透明枠２ａに形成される孔２ａ１と、及び振動スペースと空気用スペースの空間２ｃと、を備えている。
【００２５】
次に、タッチパネル１０は、一方の電極板１０ａと他方の電極板１０ｂとを所定間隔をもって層状に設けた構成としている。
一方の電極板１０ａは、蒸着により透明ガラス基板１０ａ１上に均一な抵抗膜１０ａ２が設けられ、他方の電極板１０ｂも蒸着により透明ガラス基板１０ｂ１上に均一な抵抗膜１０ｂ２が設けられる。なお、均一な抵抗膜１０ａ２及び１０ｂ２上には透明電極が設けられるが、それについては後述する。また、一方の電極板１０ａと他方の電極板１０ｂとの間には、空間２ｃが設けられる。
【００２６】
まず、例えば透明枠２ａの側面の一方より、透明枠２ａの溝２ｂに沿って透明スピーカ８、透明マイク９及びタッチパネル１０を挿入する等して透明枠２ａに透明スピーカ８、透明マイク９及びタッチパネル１０が取り付けられる。
【００２７】
次に、透明枠２ａをキャビネット２に取り付けることで、透明スピーカ８、透明マイク９及びタッチパネル１０は、キャビネット２に設けられるディスプレイ部３の前面部に図示のように対向、配置され取り付けられる。
【００２８】
従って、本実施の形態においては、透明スピーカ８を装置の長手方向の上部に、透明マイク９を装置の長手方向の下部に配置し、その上にタッチパネル１０を配置する構成となっている。
【００２９】
また、透明枠２ａは、前述した配置構成の透明スピーカ８、透明マイク９、タッチパネル１０を１つの部品で取付け可能としている。
【００３０】
なお、透明枠２ａをキャビネット２に取り付けず、ディスプレイ部３に直接取り付けてもよい。また、図示はしていないが、透明スピーカ８、透明マイク９及びタッチパネル１０の接続リード線には透明電極材を配設し、電気的接続は全て透明化している。
【００３１】
次に、透明スピーカ８について説明する。
本実施の形態の透明スピーカ８は、ディスプレイ部３側に音波を発生する透明振動板８ａ、外部側（視聴者側）に透明固定電極板８ｂが配置され、透明枠２ａにて保持されている。なお、透明振動板８ａと透明固定電極板８ｂとの配置が逆であっても、本発明は実現できるが、透明固定電極板８ｂを外部側（視聴者側）に配置することで、透明振動板８ａを保護することができる。また、透明振動板８ａの前後面は、透明振動板８ａの振動スペースと空気用スペースとして、空間２ｃが設けられている。
【００３２】
透明振動板８ａは、ベース材となる透明フィルム８ａ１と、透明スピーカ８の一方の電極となる透明電極８ａ２とにより構成されている。ここで、形成される透明電極８ａ２としては、例えば、酸化インジウム（Ｉｎ2Ｏ3）と酸化スズ（ＳｎＯ2）からなるＩＴＯ（Indium Tin Oxide）膜や酸化インジウム（Ｉｎ2Ｏ3）膜を導電性フィルム８ａ1上に、蒸着法やスパッタリング法にて成膜することで形成できる。なお、低抵抗，高透明度（高透過率），電極の微細加工が行い易いという点から、本実施の形態においてはＩＴＯ膜が望ましい。
【００３３】
透明固定電極板８ｂは、ベース材となるガラス基板８ｂ１、ガラス基板８ｂ１に形成され透明スピーカ８の他方の電極となる透明電極８ｂ２とにより概略構成される。また、透明固定電極板８ｂに形成される透明電極８ｂ２としては、例えば、前述したＩＴＯ膜をガラス基板８ｂ１上に成膜することで実現できる。
【００３４】
透明枠２ａの外部には孔２ａ１が多数設けられている。孔２ａ１の方向は、空間２ｃより視聴者側方向に向かって設けられ、図２の矢印ＤＡで示す空気流のように、透明振動板８ａにて発生された音波は、この孔２ａ１を通って、ディスプレイ部３の前面にいる視聴者に伝わる。従って、孔２ａ１方向を空間２ｃより視聴者側方向に向かって設けることで、音波が直接視聴者に伝わる。
【００３５】
次に、透明マイク９について説明する。
本実施の形態の透明マイク９は、ディスプレイ部３側に音波にて振動する透明振動板９ａ、外部側（視聴者側）に透明固定電極板９ｂが配置され、透明枠２ａにて保持されている。なお、透明振動板９ａと透明固定電極板９ｂとの配置が逆であっても、本発明を実現できるが、透明固定電極板９ｂを外部側（視聴者側）に配置することで、透明振動板９ａを保護することができる。また、透明振動板９ａの前後面は、透明振動板９ａの振動スペースと空気用のスペースとして、空間２ｃが設けられている。
【００３６】
透明振動板９ａは、ベース材となる透明フィルム９ａ1と、透明マイク９の一方の電極となる透明電極９ａ２とにより概略構成されている。ここで、透明電極９ａ２としては、例えば、酸化インジウム（Ｉｎ2Ｏ3）と酸化スズ（ＳｎＯ2）からなるＩＴＯ（Indium Tin Oxide）膜や酸化インジウム（Ｉｎ2Ｏ3）膜を導電性フィルム９ａ1上に、蒸着法やスパッタリング法で成膜することで形成できる。なお、低抵抗，高透明度（高透過率），電極の微細加工が行い易いという点から、本発明においてはＩＴＯ膜が望ましい。
【００３７】
透明固定電極板９ｂは、ベース材となるガラス基板９ｂ1、ガラス基板９ｂ1に形成され透明マイク９の他方の電極となる透明電極９ｂ2とにより概略構成される。また、透明固定電極板８ｂに形成される透明電極９ｂ2としては、例えば、前述したＩＴＯ膜をガラス基板９ｂ1上に成膜することで実現できる。
【００３８】
次に、タッチパネル１０について説明する。
タッチパネル１０は、一方の電極板１０ａと他方の電極板１０ｂとから概略構成される。電極板１０ａ，１０ｂは、ベース材に例えばガラス基板１０ａ１，１０ｂ１が用いられ、ガラス基板１０ａ１，１０ｂ１上に蒸着法やスパッタリング法にて均一な抵抗膜１０ａ２，１０ｂ２が形成されている。なお、均一な抵抗膜１０ａ２，１０ｂ２上には、透明電極（図示せず）が形成されるが、それについては後述する。
【００３９】
図３は、タッチパネル１０の詳細を説明する図である。
タッチパネル１０は、前述したように、一方の電極板１０ａと他方の電極板１０ｂから概略構成される。図３（ａ）は、一方の電極板１０ａと他方の電極板１０ｂを均一な抵抗膜１０ａ２及び１０ｂ２面からみた図であり、均一な抵抗膜１０ａ２及び１０ｂ２上には透明電極１０ａ３及び１０ｂ３が垂直方向及び水平方向に対向して形成される。
【００４０】
ここで、形成される透明電極１０ａ３及び１０ｂ３としては、例えば、酸化インジウム（Ｉｎ2Ｏ3）と酸化スズ（ＳｎＯ2）からなるＩＴＯ（Indium Tin Oxide）膜や酸化インジウム（Ｉｎ2Ｏ3）膜を均一な抵抗膜１０ａ２及び１０ｂ２上に、蒸着法やスパッタリング法にて成膜することで形成できる。また、低抵抗，高透明度（高透過率），電極の微細加工が行い易いという点から、本実施の形態においてはＩＴＯ膜が望ましい。
なお、透明電極１０ａ３及び１０ｂ３形成時は、均一な抵抗膜１０ａ２及び１０ｂ２にマスキング加工を施す。
【００４１】
また、他の方法として、現在のタッチパネルで用いられている銀ペーストでも実現できる。但し、その場合に透明な枠では製品の見栄え上好ましくないので、枠を透明枠２ａから透明でない枠に変更する等の変更は必要となる。
【００４２】
次に、図３（ａ）のＡ点が押された時のタッチパネル１０の動作を説明する。図３（ｂ）は、図３（ａ）の一方の電極板１０ａの断面図である。垂直方向に対向して形成された透明電極１０ａ３の一方の電極（例えば左側）には、電圧ＶＣが加えられ、他方の電極（例えば右側）はグランドに接続されているものとすると、Ａ点の水平方向の位置は、図３（ｂ）に示す抵抗値Ｒ１とＲ２との抵抗比により、図３（ｃ）に示すＶＣ１の出力電圧が得られ、得られた出力電圧より、Ａ点の水平方向の位置が判別される。
【００４３】
Ａ点の垂直方向の位置は、他方の電極板１０ｂの透明電極１０ｂ３により、前述した水平方向の位置判別と同様な動作で、Ａ点の垂直方向の位置が判別されるので説明は省略する。また、判別回路は現在一般に用いられているものであり、説明は省略する。従って、Ａ点の水平方向及び垂直方向の位置が判別されて、Ａ点が押されたことが検出でき、ディスプレイ部３のＡ点に対応する部分に表示した内容の指示入力のあったことを図示しない制御部により判断させることとなる。
【００４４】
図４は、本実施の形態の透明スピーカを動作させる回路図である。
まず、マッチングトランスＭＴの入力端子Ｋ１，Ｋ２に入力される音声信号までの信号処理は、通常のスピーカを動作させる処理と同じであり、説明は省略する。
【００４５】
音声処理回路（図示せず）にて所定の処理がなされた音声信号は、マッチングトランスＭＴの入力端子Ｋ１，Ｋ２に入力される。マッチングトランスＭＴは、音声処理回路（図示せず）と透明スピーカ８（透明振動板８ａの透明電極８ａ２，透明固定電極板８ｂの透明電極８ｂ２）とのインピーダンスを整合する。
【００４６】
また、マッチングトランスＭＴの出力端子Ｋ３には、直流分カットコンデンサＣが接続され、他方の出力端子Ｋ４には、所定の直流電圧を発生し、バイアス電圧発生源となるバイアス電源Ｅの負側及び透明固定電極板８ｂの透明電極８ｂ２が接続されている。
【００４７】
直流分カットコンデンサＣの出力は、透明振動板８ａの透明電極８ａ２に接続されるとともに、前述したバイアス電源Ｅの正側に接続されたバイアス抵抗Ｒに接続されている。以上の構成により透明電極８ａ２には、バイアス抵抗Ｒを介しバイアス電源Ｅからの直流バイアス電圧が加えられている。
【００４８】
前述した入力端子Ｋ１に入力された音声信号は、出力端子Ｋ３より出力され、出力端子Ｋ３より出力された音声信号は、直流分カットコンデンサＣにて直流分がカットされる。
【００４９】
直流分がカットされた音声信号は、バイアス電源Ｅからの直流バイアス電圧に重畳され、透明振動板８ａの透明電極７ａ１に出力される。従って、透明電極８ａ１及び透明電極８ｂ２間に所定の電圧がかかることで、透明振動板８ａと透明固定電極板８ｂ間に静電力が働き、この静電力で透明振動板８ａが振動して音波を発生する。以上の動作にて、音声信号は音波へと変換される。
【００５０】
なお、マッチングトランスＭＴ、直流分カットコンデンサＣ、バイアス抵抗Ｒ、バイアス電源Ｅは携帯電話１本体内部に備えられ、透明電極材にて、透明スピーカ８に接続されている。
【００５１】
また、本発明構成の透明振動板８ａの透明電極８ａ２あるいは透明固定電極板８ｂの透明電極８ｂ２に、公知の予め帯電され電荷を保持したエレクトレットフィルムを貼付することで、バイアス電源Ｅを省略することもできる。これは、透明電極８ａ２あるいは透明電極８ｂ２に正又は負の電荷を半永久的に固定してしまうことで実現されるものである。
【００５２】
図５は、本実施の形態の透明マイク９を動作させる回路図である。
次に、図５を参照して回路動作説明をする。まず、透明振動板９ａの透明電極９ａ２と透明固定電極板９ｂの透明電極９ｂ２とでコンデンサが形成されている。透明振動板９ａの透明電極９ａ２にはバイアス抵抗Ｒが接続され、バイアス抵抗Ｒの他方には、所定の直流電圧を発生し、バイアス電圧発生源となるバイアス電源Ｅの正側が接続されている。また、バイアス電源Ｅの負側は透明固定電極板９ｂの透明電極９ｂ２が接続されている。以上の構成により、透明電極９ｂ２には、バイアス抵抗Ｒを介しバイアス電源Ｅからの直流バイアス電圧が加えられている。
【００５３】
上述の装置にユーザ（図示せず）から発生された音波が到達すると、透明振動板９ａは振動し、透明振動板９ａの変位に伴う静電容量変化に比例した電圧が、バイアス抵抗Ｒの両端に出力される。両端に出力された出力電圧は、次段の音声処理回路（図示せず）へと出力される。以上の動作にて、ユーザ（図示せず）から発生された音波は音声信号へと変換される。次段の音声処理回路以後については、通常マイクの処理と同じであり、説明は省略する。
なお、バイアス抵抗Ｒ、バイアス電源Ｅは携帯電話１本体内部に備えられ、透明電極材にて、透明マイク８に接続されている。
【００５４】
図６は、本実施の形態による携帯電話のディスプレイ部及びその表示を示す図である。図に示すように、携帯電話１のディスプレイ３の領域に表示する情報は透明マイク（透明スピーカ）や透明なタッチパネルを介して操作側に提供できるため、ディスプレイ３の領域を操作面に対して最大限にとることができ、表示できるデータ量は従来の約２．５倍のデータ量が表示可能であることを示している。
【００５５】
以上説明したように、本実施の形態に係る携帯電話１によれば、透明マイク及び透明スピーカをディスプレイ３の領域に重ねて設けることで、従来の携帯電話の操作面のようにディスプレイ３の領域以外に必要としていたマイクやスピーカのスペースが不要となった。
また、ディスプレイ３、透明マイク及び透明スピーカの上にタッチパネルを重ねて設けることで、携帯電話１を操作するための操作キーもディスプレイ３の領域内に設けることができ、従来ディスプレイ３の領域以外に必要としていた操作キーのスペースが不要となった。
従って、携帯電話１の操作面に占める領域にディスプレイ３を自由な大きさ、形状に設けることができるので、設計の自由度が拡大するとともに、ディスプレイ３の領域を最大限にとることができ、文字数の多いメールを受信し、そのメールを最後まで読むためのスクロール操作が極端に低減し、その効果は大きい。また、インターネットでのＷＥＢサーフィン時等でも同様である。
【００５６】
尚、上記実施形態では、ディスプレイ部３への操作用キーＫの表示領域は、透明スピーカ８や透明マイク９の領域にも表示するものであったが、タッチパネル１０領域のみへの表示にする等の変更を加えてもよい。
また、透明スピーカ８と透明マイク９とを備える構成で示したが、その機器の特性に応じて透明スピーカ８と透明マイク９の何れか一方のみを設ける構成となっても、上記した作用効果を得ることができることはいうまでもない。
【００５７】
また、上記実施の形態では、図２に示すように空気流の孔を透明枠２ａに設けた場合を説明したが、図７に示すように透明スピーカ８、透明マイク９の透明固定電極板８ｂ，９ｂ、及びタッチパネル１０の一部に空気流用の孔Ｃ２を設けてもよい。
【００５８】
図７の構成の場合、タッチパネル１０は孔Ｃ２を設けるとともに、均一な抵抗膜１０ａ２，１０ｂ２の領域を一部狭めている。それは、孔Ｃ２を設けた領域のみ、図３で説明した、押された点の水平位置及び垂直位置検出が不正確となるためである。従って、タッチパネル１０の一部に孔Ｃ２を設けることで、タッチパネルの動作領域が若干狭められるが、透明枠２ａを簡単に作成できるという利点を有する。一方、図２の透明枠２ａに孔を設ける利点は、透明スピーカ８、透明マイク９及びタッチパネルの一部に空気流用の孔Ｃ２を設ける必要がなく、タッチパネル１０の全領域をタッチパネル動作使用できるという利点を備える。
【００５９】
上記実施の形態では、携帯電話にディスプレイ部３、透明スピーカ８及び透明マイク９、及びタッチパネル１０を、タッチパネル１０を操作面側としてキャビネット２内に層状に配置する構成を説明したが、本発明の適応対象はそれに限定されるものではない。次に、本発明の第２の実施形態としてモニタ付カメラ一体型記録装置について説明する。
【００６０】
図８は透明スピーカ８Ｌ，８Ｒ、透明マイク９及びタッチパネル１０を備えるモニタ付カメラ一体型記録装置の基本構成図、図９は本発明による透明スピーカ８，及びタッチパネル１０の構成及び配置を示す側面図、図１０は図９の構成及び配置の他の実施例を示す側面図、図１１は透明スピーカ８Ｌ，８Ｒ、透明マイク９の配置を示す表示部の正面図、図１２，１３は本発明の第２の実施の形態に係るモニタ付カメラ一体型記録装置を示している。尚、透明スピーカ８Ｌ，８Ｒ、透明マイク９、及びタッチパネル１０の構成は、前記した各透明スピーカ８、透明マイク９、及びタッチパネル１０と大きさ（形状）以外は同一構成であり、その構造は同一であるので説明を省略する。
【００６１】
モニタ付カメラ一体型記録装置２１は、被写体を撮像するカメラ部２２と、撮像された画像信号やマイクからの音声信号を記録する記録部と記録された信号や撮像される信号を表示するモニタ部とを備えるモニタ付記録再生部２３とを備えている。なお、カメラ部２２は、カメラ部２２を操作するための操作キーＫ２を備えている。
【００６２】
モニタ付記録再生部２３は、モニタ付記録再生部２３のキャビネット２４と、撮像される信号や前記再生部で再生された画像信号を表示するディスプレイ部３を備えたモニタ部２５、キャビネット２４に設けられる透明スピーカ８Ｌ，８Ｒ、透明マイク９，及びタッチパネル１０を設けるための透明枠２６、前記再生部２３で再生された音声を出力する透明スピーカ８Ｌ，８Ｒ、音声入力用の透明マイク９、及びモニタ付記録再生部２３を操作するためのタッチパネル１０を備えている。
【００６３】
図９は、図８におけるカメラ部２２の反対側、即ち図８の左側からみた側面図であり、前記実施の形態の図２に示した透明スピーカと同様に、ディスプレイ部３、透明スピーカ８Ｌ、及びタッチパネル１０を、タッチパネル１０を操作面側としてキャビネット２４内に層状に配置し、透明スピーカ８Ｌと操作側とを連通する空気流用の孔２ａ１が操作側に向かって設けられた構成を示している。透明スピーカ８Ｒは透明スピーカ８Ｌと同一構成であり、図示、説明は省略する。
【００６４】
図１０は、図９において透明枠２６の空気流用の孔２ａ１の方向が異なるものである。すなわち、透明枠２６の外部には孔２ａ１が多数設けられている。孔２ａ１方向は空間２ｃより透明枠２６の外部横方向に向かって設けられ、図９の矢印ＤＡで示す空気流で、透明振動板８ａにて発生された音波は、この孔２ａ１を通って視聴者に伝わる。
【００６５】
以上の説明においては、図１１（ａ）の透明スピーカ８Ｌ、透明マイク９、透明スピーカ８Ｒの配置構成を説明したが、例えば、図１１（ｂ）の配置のように透明マイクを透明スピーカ８Ｌ、８Ｒと同様に左右に独立して設ける構成とすることで透明マイク９Ｌ、９Ｒをもステレオマイクとしてもよい。その他、透明スピーカと透明マイクの配置構成は、様々な配置構成にできる。
【００６６】
図１２，１３を参照しつつ、モニタ付カメラ一体型記録装置２１の操作について説明する。タッチパネル操作は、撮影モード及び再生モードともに使用されるが、以下撮影モード時の操作を説明する。なお、再生する時は再生モードにする。
【００６７】
撮影モードになると、図１２に示すように、モニタ部２５には、ディスプレイ部３に表示された撮像された被写体像が、透明スピーカ８Ｌ、８Ｒ又は透明マイク９Ｌ、９Ｒ、及びタッチパネル１０を介して操作側に提供されている。この状態のまま撮影を続けてもよいが、明るさを補正したいとか、瞬間的にズームで撮影したいとか、特殊効果を用いて撮影したいという場合がある。その場合は、図１２の状態で、モニタ部２５上のタッチパネル１０の任意の部分をタッチする。その結果、モニタ部２５には図１３に示すような撮影モードメニューＭが表示される。撮影モードメニューの１例としては、本実施の形態では、「１／５」、「消」、「瞬間ズーム」、「瞬間合成」、及び「明るさ補正」等が表示される。
【００６８】
「１／５」の表示は、撮影モードメニューが５あり、この表示が５ある表示のうちの１番目のメニュー表示であることを示し、１／５の部分をタッチすることで、２／５の別の撮影モードメニューが表示される。次、次とタッチを続ければ、５／５の撮影モードメニューが表示される。また、撮影モードメニューの１部は階層化され、各種の設定や調整が可能となっている。
【００６９】
「消」の表示は、撮影モードメニューの表示を消すもので、各種の設定や調整等が終わってメニュー表示が不要となった場合、「消」の部分をタッチすることで、撮影モードメニューを非表示とする。
【００７０】
「瞬間合成」は、装置内部のメモリに備えた背景画像と被写体画像を合成するものである。
【００７１】
次に、「瞬間ズーム」と「明るさ補正」を例にタッチパネルの操作を説明する。
「瞬間ズーム」の操作は、図１３の状態において、ベンチの真中の部分を拡大して撮影したいとする。その場合、まず、「瞬間ズーム」の表示をタッチし、拡大したいベンチ真中部分をタッチする。すると、ベンチ真中の部分が所定の倍率に拡大され、ズーム撮影ができる。所定の倍率は、各種の設定や調整時で倍率を選択しておく。
【００７２】
「明るさ補正」の操作は、図１３の状態において、木の真中の部分が暗すぎ、明るくして撮影したい場合、まず、「明るさ補正」の表示をタッチし、次に、明るくしたい部分（木の真中部分）をタッチする。すると、木の真中の部分が所定の明るさに補正され、明るさ補正された撮影ができる。タッチパネルの繰作は、撮影モードメニューに応じて各種あるが、その他の操作説明については省略する。
【００７３】
以上説明したように、第２の実施の形態に係るモニタ付カメラ一体型記録装置２１によれば、ディスプレイ部３、透明スピーカ８Ｌ，８Ｒ及び透明マイク９、及びタッチパネル１０を、タッチパネル１０を操作面側としてキャビネット２４内に層状に配置する構成とすることで、従来モニタ付カメラ一体型記録装置本体に設けていた通常のマイクやスピーカを設けるスペースが不要となるとともに、透明マイク及び透明スピーカの上にタッチパネルを備えることで、表示機能を選択するための操作キーを設けるスペースが不要となり、設計の自由度を拡大するとともに、モニタ部２３のディスプレイ３の領域を最大限にとることができ、モニタ付カメラ一体型記録装置の小型化を行っても、大きな、広い画像や多くの文字、記号を表示でき、その効果は大きい。
【００７４】
図１４から図１７は、モニタ付カメラ一体型記録装置の表示部（表示画面）の他の実施形態の説明図であり、ユーザにはその存在が見えない透明スピーカ８、透明マイク９の配置をキャラクタあるいはテキストにて表示し、ユーザに配置状態を知らせるものである。
【００７５】
図１４（ａ）は、前記した透明スピーカ８、透明マイク９の配置状態を示す図であり、図１１（ａ）と同じ構成内容である。本実施形態においては、図１１（ｂ）に示すように表示画面内に透明スピーカ８、透明マイク９のキャラクタ（図形、記号）あるいはテキスト（文字）（図１６）を表示することで、ユーザにスピーカ（透明スピーカ８）、マイク（透明マイク９）の存在や配置位置を知らせるものである。
【００７６】
図１４（ｂ）は、透明スピーカ（Ｌ）８Ｌの配置を人の耳を示すキャラクタ３１にて表示し、透明マイク９の配置を人の口を示すキャラクタ３２にて表示し、透明スピーカ（Ｒ）８Ｒの配置を人の耳を示すキャラクタ３３にて表示するものである。
【００７７】
図１５は、透明スピーカ（Ｌ）８Ｌの配置をスピーカを示すキャラクタ３４にて表示し、透明マイク９の配置をマイクを示すキャラクタ３５にて表示し、透明スピーカ（Ｒ）８Ｒの配置をスピーカを示すキャラクタ３６にて表示するものである。
【００７８】
図１６は、透明スピーカ（Ｌ）８Ｌの配置を「スピーカ  左」とのテキスト３７にて表示し、透明マイク９の配置を「マイク」とのテキスト３８にて表示し、透明スピーカ（Ｒ）８Ｒの配置を「スピーカ  右」とのテキスト３９にて表示するものである。
【００７９】
図１７は、前記した図１４（ｂ）と同じく、透明スピーカ（Ｌ）８Ｌの配置をキャラクタ３１にて表示し、透明マイク９の配置をキャラクタ３２にて表示し、透明スピーカ（Ｒ）８Ｒの配置をキャラクタ３３にて表示するとともに、各スピーカ、マイクの配置領域を領域線（キャラクタ）４０にて表示するものである。
【００８０】
勿論、図示はしていないが、テキストの表示３７〜３９と配置されている領域４０の組み合わせ表示も可能である。また、キャラクタやテキストの表示位置や大きさは自由に表示可能であり、また、キャラクタやテキストをフラッシングさせたり、ズームアップダウンの連続表示も可能である。
【００８１】
次に、以上説明したキャラクタやテキストを表示させるには、装置内部にキャラクタやテキストデータを有するＲＯＭを備え、それを読み出し、ディスプレイ部３に表示することで実現できるが、この技術は公知の技術であり説明は省略する。
【００８２】
次に、モニタ付カメラ一体型記録装置２１にて本実施形態のキャラクタあるいはテキストを表示する場合は、例えば、電源スイッチ（図示せず）をＯＮすると自動的に表示するようにしたり、図１３にて説明した撮影モードメニューＭのメニューの中に本表示のＯＮ，ＯＦＦを切り換えるメニューをいれてもよく、また、操作キーＫ２の中に設けてもよい。
【００８３】
また、本実施形態のキャラクタあるいはテキストの表示は、前記した携帯電話等の透明スピーカ、透明マイクを用いる表示画面にも勿論適用でき、例えば、携帯電話１に設けられた電源スイッチ７をＯＮすると自動的に表示するようにしたり、ディスプレイ部３に表示される操作用キーＫの一部に設けてもよい。
【００８４】
以上のように、ユーザにはその存在が見えない透明スピーカ８や透明マイク９はその存在が見えないためにユーザにはその存在や配置位置が判らないことによる不安感や取扱性の悪さを感じる場合があるかもしれないが、その配置状態や領域をキャラクタあるいはテキスト情報を用いてユーザに視覚的に知らせることで安心感を得られ（提供でき）、またマイクの位置がわかることで音声入力を効果的に行うことができ、スピーカの位置を理解することで望みの位置、方向に効率的に音声出力を可能とできる。
【００８５】
前記の実施形態では本発明の好適例として、携帯電話、モニタ付カメラ一体型記録装置を参照して説明したが、適用例はこれに限定されず、画像、文字、記号等を表示するディスプレイ部と、音声の入力機器（マイク）及び／又は出力機器（スピーカ）、及び操作用キーを有する機器であれば、適用できる。例えば、表示画面、音声入出力機能を有する情報端末、目的位置、現在位置等を音声を交えながら地図画面等を表示する例えば乗り物（車等）用等に用いられるナビゲーションモニター、テレビ、オーディオ機器等があげられる。
【００８６】
【発明の効果】
以上説明した通り、本発明の第１の要旨によれば、音響部材と操作パネルを透明な部材で形成するため、透明操作パネルを操作側として、情報表示部と透明操作パネル間に透明音響部材を積層、配置しても、係る音響部材と操作パネルを通して情報表示部の情報は視認可能となる。すなわち、従来、別個に同一平面状等に配置されていた情報表示部、音響部材、及び操作パネルを情報表示部の領域内に集中的に配置できるため、従来、音響部材と操作パネルが占めていた領域分だけ装置の小型化や情報表示部の拡大を図ることができる。
よって、装置本体の小型化と表示画面の大型化の要望に対しては十分に応えることができる。
【００８７】
本発明の第２の要旨によれば、操作側と透明音響部材との通路を短くでき、透明音響部材の感度を高めることができる。
【００８８】
本発明の第３の要旨によれば、支持部材を有効に活用するとともに、広い情報表示部を確保できる。
【００８９】
本発明の第４の要旨によれば、操作側と透明音響部材との通路を極力短くでき、透明音響部材の感度を高めることができる。
【００９０】
本発明の第５の要旨によれば、透明操作パネルを簡単な構成で実現できる。
【００９１】
本発明の第６の要旨によれば、ユーザには透明スピーカや透明マイクは見えないために、ユーザにはその存在や配置位置が判らないことによる不安感や取扱性の悪さを感じる場合があるかもしれないが、その配置状態（配置領域を含む）をキャラクタあるいはテキストを用いてユーザに視覚的に知らせることで、ユーザに安心感を提供でき、またマイクの位置がわかることで音声入力を効果的に行うことができ、スピーカの位置を理解することで望みの位置、方向に効率的に音声出力を可能とできる。
【図面の簡単な説明】
【図１】本発明の第１の実施の形態に係る携帯電話の操作面側の正面図である。
【図２】本発明の第１の実施の形態に係る携帯電話１の正面図（ａ）に対応して、矢視Ｘ１−Ｘ２断面図（ｂ）である。
【図３】タッチパネル１０の動作説明図である。
【図４】透明スピーカ８を動作させるための回路図である。
【図５】透明マイク９を動作させるための回路図である。
【図６】本発明の第１の実施の形態による携帯電話の操作面側のディスプレイ部及びその表示を示す正面図である。
【図７】本発明の第１の実施の形態のその他の例に係る携帯電話１の正面図（ａ）と、（ａ）の矢視Ｙ１−Ｙ２断面図である。
【図８】本発明の第２の実施の形態に係るモニタ付カメラ一体型記録装置の斜視図である。
【図９】本発明の第２の実施の形態に係るモニタ付カメラ一体型記録装置の透明スピーカ８，及びタッチパネル１０の構成及び配置を示す側面図である。
【図１０】図９の構成及び配置の他の例を示す側面図である。
【図１１】透明スピーカ８Ｌ，８Ｒ、透明マイク９の配置を示す表示部の正面図（ａ）と透明マイク９Ｌ，９Ｒを設けた表示部の正面図（ｂ）である。
【図１２】本発明の第２の実施の形態に係るモニタ付カメラ一体型記録装置の斜視図である。
【図１３】本発明の第２の実施の形態に係るモニタ付カメラ一体型記録装置の斜視図である。
【図１４】本発明のその他の実施の形態に係るモニタ付カメラ一体型記録装置の表示部の正面図である。
【図１５】本発明のその他の実施の形態に係るモニタ付カメラ一体型記録装置の表示部の正面図である。
【図１６】本発明のその他の実施の形態に係るモニタ付カメラ一体型記録装置の表示部の正面図である。
【図１７】本発明のその他の実施の形態に係るモニタ付カメラ一体型記録装置の表示部の正面図である。
【図１８】従来の携帯電話１０１の操作面側の基本構成の説明図である。
【符号の説明】
１  携帯電話
２ａ  透明枠
２ａ１、Ｃ２  孔
３  ディスプレイ部
８，８Ｒ，８Ｌ  透明スピーカ
９，９Ｒ，９Ｌ  透明マイク
１０  タッチパネル
Ｋ、Ｋ２  操作キー
３１〜３６  キャラクタ
３７〜３９  テキスト
４０  領域線
【図１】
0003792130.tif 000002
【図２】
0003792130.tif 000003
【図３】
0003792130.tif 000004
【図４】
0003792130.tif 000005
【図５】
0003792130.tif 000006
【図６】
0003792130.tif 000007
【図７】
0003792130.tif 000008
【図８】
0003792130.tif 000009
【図９】
0003792130.tif 000010
【図１０】
0003792130.tif 000011
【図１１】
0003792130.tif 000012
【図１２】
0003792130.tif 000013
【図１３】
0003792130.tif 000014
【図１４】
0003792130.tif 000015
【図１５】
0003792130.tif 000016
【図１６】
0003792130.tif 000017
【図１７】
0003792130.tif 000018
【図１８】
0003792130.tif 000019